(57)【特許請求の範囲】
【請求項１】
横長の筐体と、この筐体の前面に配置されるフロントパネルとを備え、少なくとも前記筐体の上面に第１の吸込部、前記筐体の下部に吹出部を形成し、この第１の吸込部と吹出部とで形成される通風路にエアーフイルタと前記熱交換器と送風フアンを配置した空気調和機において、
前記フロントパネルは、その両側の下端部に設けた開閉機構部を介して前記筐体に対して開閉可能に取り付けられるとともに、前記開閉機構部の間に横長の切欠部が形成され、
前記筐体は前記切欠部から露出する位置に横長のベース部を備え、
前記ベース部は、その上部に傾斜面を備え、
前記傾斜面と前記切欠部とで第２吸込部を構成する
ことを特徴とする空気調和機。
【請求項２】
請求項１記載の空気調和機において、
前記ベース部に、運転状態を表示する運転状態表示部を備えている
ことを特徴とする空気調和機。
【請求項３】
請求項１又は２記載の空気調和機において、
前記開閉機構部は、前記フロントパネルを閉じた状態から所定角度開いた状態以降に移動方向に加わる力に抗する力を発生する機構を備えた
ことを特徴とする空気調和機。
【請求項４】
請求項１から３記載の何れかの空気調和機において、
前記開閉機構部は、２軸ヒンジ機構を採用している
ことを特徴とする空気調和機。
【請求項５】
請求項１から４記載の何れかの空気調和機において、
前記フロントパネルの上部にロック機構を備え、該ロック機構を解除する解除手段を備えた
ことを特徴とする空気調和機。
【請求項６】
請求項５記載の空気調和機において、
前記解除手段は、遠隔操作手段からの信号に基づいて動作するソレノイドである
ことを特徴とする空気調和機。
【請求項７】
請求項５記載の空気調和機において、
前記解除手段は、室内ユニットの下方に設けた操作レバーの操作を前記解除手段に伝達する伝達機構を備えている
ことを特徴とする空気調和機。
【請求項８】
請求項７記載の空気調和機において、
前記伝達機構は、前記筐体に設けられている
ことを特徴とする空気調和機。
以上
【発明の詳細な説明】
【０００１】
【発明の属する技術分野】
本発明は、壁面に設置される空気調和機に関するものであり、特に、清掃性が良好な空気調和機に関するものである。
【０００２】
【従来の技術】
現在一般家庭においては室外機と室内機とが分離された壁面設置型の空気調和機が主流となっている。近年、これらの空気調和機の清掃性が重視され、室内機の吸込部を有するフロントパネルと吹出部を備える吹出カバーの清掃性を向上させたものがある。例えば、出願人は、２０００年にフロントパネルを観音開きに開閉可能にした構造の空気調和機を実施し、２００１年には吹出カバーを開閉可能にした空気調和機を実施している。
【０００３】
この他、従来例においては、前記フロントパネルを上方に跳ねあげる構造のものや、特開平７−１２８２１号ではフロントパネルの下端を回転軸として上方を開放可能としたものが開示されている。
【０００４】
【発明が解決しようとする課題】
この種の室内機は、横長の筐体内部に横配置の還流フアンを備け、この還流フアンを包むように前部と上部側に熱交換器を配置したものが一般的である。このため、この筐体の前部と上部に吸込部を設けて、この吸込部から吸い込んだ空気を下方に配置される吹出部から排出している。しかし、近年、インテリアの調和を図るために、前部に設けられる吸込部を無くす、あるいは小さくしたいという要望が強くなっている。この要望を実現すると正面前部に配置される熱交換器の前面が塞がれることになるため、前記還流フアンを包むように配置される熱交換器を効率よく使う工夫が必要となっている。
【０００５】
しかし、従来の観音開きのフロントパネルでは、正面中央に分割線がくるため左右両側のフロントパネルの位置あわせに工夫が必要となる。また、跳ねあげ式の従来例は、フロントパネルの回転軸が壁面の高い位置となるため、開閉作業が高所で行わなければならない。そこで、フロントパネルの下端を回転軸として上方を開放可能とした構造が有効である。しかし、熱交換器をフアンを包むように配置した従来の空気調和機は、側面形状が丸みをおびているため、正面に配置される表示部が低い位置となると、表示面が下を向いてしまい視認性が悪くなる。これを解決しようとすると表示部を上方に設けることとなり、この表示部が前記フロントパネルと重なってしまうために、フロントパネルに表示部用の開口部などを設けなければならず、清掃性が悪くなる。
【０００６】
そこで、この発明の目的は、清掃性を向上しつつ視認性と吸い込み効率の向上が図れる空気調和機を提供することにある。
【０００７】
【課題を解決するための手段】
前記目的を達成するために、本発明に係る空気調和機は、横長の筐体と、この筐体の前面に配置されるフロントパネルとを備え、少なくと前記筐体の上面に第１の吸込部、前記筐体の下部に吹出部を形成し、この第１の吸込部と吹出部とで形成される通風路にエアーフイルタと前記熱交換器と送風フアンを配置した空気調和機において、前記フロントパネルは、その両側の下端部に設けた開閉機構部を介して前記筐体に対して開閉可能に取り付けられるとともに、前記開閉機構部の間に横長の切欠部が形成され、前記筐体は前記切欠部から露出する位置に横長のベース部を備え、前記ベース部は、その上部に傾斜面を備え、
前記傾斜面と前記切欠部とで第２吸込部を構成する。
【０００８】
【発明の実施の形態】
以下、図１から図１４を参照してこの発明に係る空気調和機を詳細に説明する。
【０００９】
図１から図８および図１３、１４はこの発明に係る第１の実施の形態に係る空気調和機である。先ず、図１を参照して、この実施の形態に係る空気調和機の概略構造を説明する。図１はこの実施の形態に係る空気調和機の外観図であり、（ａ）図が外観斜視図、（ｂ）図がフロントパネルと吹出カバーを開いた状態の右側面図である。
【００１０】
図１において、符号１で総括的に示すのは空気調和機の室内ユニットであり、図示しない冷媒配管、電源接続線、信号接続線等を介して図示しない室外ユニットと接続され、室内の壁面に設置されて、室内の冷暖房を主体に行うものである。室内ユニット１の外観は、樹脂成型のバックキャビネット２と、該バックキャビネット２の前面に設けられる樹脂成型の化粧カバー３と、該化粧カバ−３の前面に設けられた樹脂成型のフロントパネル４と、該化粧カバ−３の底面に設けられた樹脂成型の吹出カバー５とを備えている。
【００１１】
前記バックキャビネット２と化粧カバー３はネジ止めされて筐体６を構成し、この筐体６の内部には図３に示す熱交換器７と送風フアン８及び図５に示す電気品部９などが設けられている。前記化粧カバー３の上面には第１吸込部１０が配置され、底面には吹出部１１を備えた前記吹出カバー５が後方の第１開閉機構部１２を介して開閉可能に取付けられている。また、前記フロントパネル４は、下部両側に設けた一対の第２開閉機構部１３を介して開閉可能に取付けられている。そして、前記フロントパネル４の下部は、前記一対の第２開閉機構部１３の間に横長の切欠部１４が形成されている。一方、この切欠部１４に対応する位置となる前記化粧カバー３には、横長のベース部１５が形成される。このベース部１５は、上半分に第２吸込部１６の一部を構成する案内部１７が設けられ、下部には運転状態表示部２３が設けられている。
【００１２】
この室内ユニット１によれば、前記送風フアン８を運転させることにより、前記第１吸込部１０と第２吸込部１６から吸い込んだ室内空気を、エアーフイルタ１８を介して前記熱交換器７を通過させることにより温風又は冷風に熱交換し、あるいは熱交換させることなく前記吹出部１１から吹き出すことができる。なお、この実施の形態では、前記エアーフイルタ１８と前記熱交換器７との間に図３に示す空気清浄フイルタ１９を取り付けて、空気清浄機能として運転することもできる。また、この空気調和機の操作は遠隔操作機２０（図９参照）で行うことができる。この実施の形態では、前記遠隔操作機２０からの赤外線信号を受光する受光部２１を前記吹出部１１の片側に配置している。
【００１３】
そして、この実施の形態に係る室内ユニット１の大きな特徴は、前記フロントパネル４と吹出カバー５を下部または後方に配置した第２開閉機構部１３または第１開閉機構部１２を介して開閉可能に設けた点である。この２つの開閉機構部により、前記筐体６の前部及び下部を大きく開閉することができるので、清掃性を大きく向上させることができる。
【００１４】
特に、前記フロントパネル４は、下部両側に張出部２２を形成し、この張出部２２に第２開閉機構部１３を設けたので、通風性能に影響し難く、かつ側面板に近接して構造面でも強固な筐体６の両側に確り取付けることができる。しかも、この張出部２２の間の前記フロントパネル４の下辺部を横長に切り欠いて切欠部１４を形成し、この切欠部１４から前記ベース部１５を露出させるようにしたので、このベース部１５に設けた運転状態表示部２３を視認性が良好な上方位置に設けることができるとともに、フロントパネル４の第２開閉機構部１３を開閉作業が良好な下方位置にすることができる。
【００１５】
また、この実施の形態では、前記ベース部１５の上部に形成した案内部１７と切欠部１４とで第２吸込部１６を構成したので、フロントパネル４に開口部を形成することなく高い位置に第２吸込部１６を配置することができる。しかも、この第２吸込部１６は前記案内部１７により内部が見え難く、かつ第２吸込部１６から吸い込まれた空気をフロントパネル４の中央位置近傍の前記熱交換器７の良好な性能を得るための適正な位置に案内することができるので、意匠性を向上しつつ性能を向上させることができる。
【００１６】
このように、この実施の形態では、前記フロントパネル４に開口部を形成することなく、このフロントパネル４を開閉する回転中心を下方に下げつつ、運転状態表示部２３と第２吸込部１６を上方に上げることができるので、意匠性を向上しながら清掃性や運転性能を向上させることができる。
【００１７】
以下、図２から図８および図１３、図１４を参照して、更に詳細に説明する。
【００１８】
先ず、図２を参照して、室内ユニット１の外観を説明する。図２は室内ユニット１の外観図であり、（ａ）図が平面図、（ｂ）図が正面図、（ｃ）図が底面図、（ｄ）図が右側面図である。また、図１３はフロントパネルの開閉および着脱操作を示す使用状態図であり、（ａ）図がフロントパネルを開こうとする使用状態図であり。（ｂ）図がフロントパネルを開いた使用状態図、（ｃ）図がフロントパネルを取り外した使用状態図である。また、図１４は清掃性について説明する使用状態図であり。（ａ）図がフロントパネルを開いた状態の清掃性の説明図、（ｂ）図が吹出カバーを開いた状態の清掃性の説明図、（ｃ）図がフイルタの着脱状態を説明する使用状態図、（ｄ）図が掃除機を使用した清掃の使用状態図、（ｅ）図が吸込グリルの着脱を説明する使用状態図である。なお、図１３と図１４は使用者と室内ユニット１の関係を表す図であるため、室内ユニット１自体の詳細な構造は図示を省略している。
【００１９】
図２において、前記室内ユニット１は横幅Ｌを８４０ｍｍ、高さＨを２９８ｍｍ、奥行Ｄを２３２ｍｍとする横長の形態を備えている。前記第１吸込部１０は、前記バックキャビネット２と前記化粧カバー３で構成される前記筐体６の上面全体に渡って形成されている。この第１吸込部１０は、横桟を基調としたスリットで構成される複数の吸込グリル部２４で覆われている。この実施の形態では、前記第１吸込部１０を左右に配置される２枚の吸込グリル２４で構成している。この吸込グリル２４は前記筐体６に着脱可能に取付けられており、前記フロントパネル４を開放することで、図１４の（ｅ）図に示すように、前面から引き出すことができる。
【００２０】
また、前記筐体６の上面は、前部が前方に傾斜した形状を備えている。これにともなって、前記吸込グリル２４を側面が屈曲した形状としている。このため、筐体６の上面は水平形状のものに比べて第１吸込部１０の開口面積を大きくすることができるとともに、この室内ユニット１の外観形状をコンパクトにすることができる。また、この図１４の（ｅ）図に示すように、前記吸込グリル２４は、前記屈曲形状により、後部が水平面に取付けられているので筐体６の上面に安定支持されるとともに、前部は高さが低い位置に設けられるので、着脱作業を向上させることができる。
【００２１】
前記室内ユニット１の前面と底面前部は、前記フロントパネル４と吹出カバー５と、前記フロントパネル４と吹出カバー５の間に配置されるベース部１５とから構成される。この実施の形態では、前記ベース部１５の前部を一枚の透明樹脂材料で構成される着脱可能な化粧パネル２５で構成している。したがって、前記フロントパネル４と吹出カバー５と化粧パネル２５とが前記筐体６に対して取り換えが容易のため、この３つのパネル（カバー含む）に対して、色彩や模様などが異なる複数種類の前記パネルを用意することでインテリアに対応して多種多様な組み合わせによる機種展開を容易に図ることができる。
【００２２】
特に、この実施の形態では、前記フロントパネル４に開口部がなく、このフロントパネル４と化粧パネル２５とで形成される第２吸込部１６は化粧パネル２５で内部が隠蔽され、更に前記吹出部１１の開口は横ルーバ２６により隠蔽される。しかも、前記室内ユニット１の前面と底面前部は、側面から見て、底面後方から前方に行くにしたがって徐々に立ち上がり、中央付近で最前部となり、上部に行くにしたがって後方に後退して前記第１吸込部１０につながる、大きな円弧面で構成される。したがって、室内ユニット１は、壁面に設置した際に、室内空間に調和しやすい形態となっている。
【００２３】
また、前記フロントパネル４と吹出カバー５は、側面からみて、湾曲した板状の形状を備えており、その両端部は、筐体６の両端部に位置している。一方、筐体６の両側板２７は、底面から前部にかけて前方に傾斜する手掛凹部２８が形成される。このため、前記フロントパネル４と吹出カバー５の両側端部が外側に張り出すので、この張出部を介して前記フロントパネル４と吹出カバー５を開閉することができる。また、前記手掛凹部２８を設けることにより、厚み（奥行）のある筐体６を薄く見せる効果がある。なお、７４は吹出カバー５を開放する際に使用するロック機構を備えた手掛部である。
【００２４】
次に、図３を参照して、室内ユニット１の内部構造と通風経路を説明する。図３は、室内ユニット１の内部構造と通風経路を示す断面図である。図３において、この実施の形態では、前記筐体６の略中央に前記送風フアン（横配置の還流フアン）８を備え、その前部及び上部に前記熱交換器７を配置し、下部に前記吹出カバー５が配置される。前記熱交換器７は、略垂直姿勢で配置される第1熱交換器７ａと、その上部に配置され後方に寝せた傾斜姿勢で配置される第２熱交換器７ｂと、前記第２熱交換器７ｂと対向した後方位置に傾斜姿勢で配置される第３熱交換器７ｃとから構成される。前記第1熱交換器７ａと第２熱交換器７ｂと第３熱交換器７ｃとは第１接続部２９及び第２接続部３０を介して屈曲するように接続され、前記第１接続部２９は送風フアン８の前方で中心位置よりやや上方に位置し、前記第２接続部３０は送風フアン８の上方に位置するに配置される。そして、前記第２熱交換器７ａと第３熱交換器７ｃにはサブ熱交換器７ｄ、７ｅが取付けられる。
【００２５】
また、前記バックキャビネット２の内壁面の中央には前記第３熱交換器７ｃの露を受ける後部ドレン皿３１が設けられ、前記化粧カバー３の内面の下部には前記第１および第２熱交換器７ａ、７ｂの露を受ける前部ドレン皿３２が形成される。そして、前記前部ドレン皿３２と後部ドレン皿３１の内側端部を前記送風フアン８に近接して形成することで、上部通風路３３と下部通風路３４で構成される空気通風路３５を前記筐体６の内空間に形成する。
【００２６】
ここで、前記上部通風路３３は前記熱交換器７が配置される空間であり、その前部は第２の吸込部１６を構成する前記フロントパネル４とベース部１５とで覆われ、その上部は前記吸込グリル２４を備えた第１吸込部１０で覆われている。また、前記下部通風路３４は図３に示すように断面形状を円弧状に形成された空間であり、その下端部に前記吹出部１１を備えた吹出カバー５が配置される。
【００２７】
また、前記吹出カバー５は、内側に複数の取付リブ３６が形成され、この取付リブ３６に筐体６の長手方向に空気を拡散させる複数の縦ルーバ３７と、上下方向に空気を拡散させる前記横ルーバ２６が回転可能に取付けられる。前記横ルーバ２６は大小２枚のルーバで構成され、前記縦ルーバ３７とともに、図示しない駆動モータにより回転動作が制御される。そして、前記縦ルーバ３７を備えた取付リブ３６は、吹出カバーを閉じた状態で前記空気通風路３５内に配置される。
【００２８】
また、前記上部通風路３３の前面及び上部は着脱可能な前記エアーフイルタ１８が配置され、前記空気通風路３５に取り込まれる塵埃を取り除くことができる。また、前記フロントパネル４と前記エアーフイルタ１８の後方位置となる前記化粧カバー３の前面には、細かな塵埃を除去する前記空気清浄フイルタ１９が着脱可能に配置される。この空気清浄フイルタ１９は、図５に示すように、横長ボックス型の形状を備えて、左右に分割して配置される。
【００２９】
一方、前記空気清浄フイルタ１９の前方の下方位置には第２吸込部１６が配置される。この第２吸込部１６は前記ベース部１５の上端と前記切下部１４の上端部が重なって形成され、かつこの切欠部１４に断面形状が円弧形状の案内部１７が形成されているので、この第２吸込部１６から取り込まれる空気は、前記フロントパネル４の内側に沿って上方に引き込まれ前記空気清浄フイルタ１９に取り込まれる。このため、前記第２吸込部１６が前記空気清浄フイルタ１９（空気通風路３５の取り込み口）より低い位置にあっても大きな空気抵抗を生じることなく空気を取り込むことができる。なお、この実施の形態では、前記第１吸込部１０を前方に傾斜させて設けたことにより、この第１吸込部１０から取り込んだ空気も前記空気清浄フイルタ１９に通過させて取り込むこともできる。
【００３０】
このように、この実施の形態によれば、前記送風フアン８を駆動させることにより、前記第１吸込部１０と第２吸込部１６から室内空気を取り込んで、前記エアーフイルタ１８を介して比較的大きな塵埃を取り除き前記熱交換器７を通過させることができる。この際、前記熱交換器により、冷房または暖房または除湿した空気を生成し、前記吹出部１１から吹出すことができる。更に、前記熱交換器７による熱交換を行うことなく送風運転や空気清浄された空気を吹出口１１から吹出すこともできる。この際、前記第２吸込部１６を設けたことにより、前記熱交換器７の前面に広いパネル面を形成しても意匠性を損なうことなく、かつ大きな損失を受けることなく室内ユニットの前面から室内空気を取り込むことができる。
【００３１】
次に、図４から図７および図１３を参照して、前記フロントパネル４と吹出カバー５の開閉構造を説明する。図４はフロントパネル４と吹出カバー５を開放した状態の断面図である。図５はフロントパネル４を開放した状態の正面図である。図６は第２開閉機構部１３の説明図であり、（ａ）図が第２開閉機構部１３の正面図、（ｂ）図が第２開閉機構部１３の右側面図、（ｃ）図はフロントパネル４を閉じた状態の第２開閉機構部１３の断面図、（ｄ）図はフロントパネル４を一部開いた状態の第２開閉機構部１３の断面図である。図７は第１開閉機構部１２の断面図である。
【００３２】
先ず、図４、図５、図６を参照してフロントパネル４の開閉機構を説明する。図４において、この実施の形態では、前記フロントパネル４を大きく開放させるために２軸ヒンジ構造を備えた第２開閉機構部１３を採用している。この第２開閉機構部１３を採用したことにより、フロントパネル４を、その自由端部が上方位置となる略垂直な姿勢から略１８０度開放して、その自由端部が最下部となる略垂直な姿勢まで変化させることができる。しかも、この第２開閉機構部１３によれば、通常の１軸ヒンジ構造に比べて、この１軸ヒンジ構造の周囲の隙間を小さくしながら、開閉機構部の強度を堅固とし、更に、前記エアーフイルタ１８を取り外すための作業空間を形成することができる。更に、この第２開閉機構部１３によれば、前記フロントパネル４を一部開いた状態では簡単に開けやすく、所定角度以降の開閉動作ではブレーキがかかって動作し難く、かつ、前記フロントパネル４を着脱可能にする構造を備えている。
【００３３】
図５において、この実施の形態では、前記フロントパネル４が開閉動作において歪んでしまうことを避けるために長手方向に対して直行する複数の補強リブ４１を前記フロントパネル４の内側に所定間隔で形成している。このため、フロントパネル４の開閉動作における歪みを軽減するとともに、フロントパネル４自身の重量を軽減して開閉動作を行いやすくすることができる。また、この実施の形態では、前記第２開閉機構部１３を前記フロントパネル４の両側に形成した前記張出部２２に設けたので、前記第２開閉機構部１３の取付位置Ｑ１を前記エアーフイルタ１８の装着位置Ｑ２より低くできる。更に、この第２開閉機構部１３は両側に設けているので、その内側の空間を作業スペースとして広く使うことができる。特に、この実施の形態では、切欠部１４を設けることにより、前記作業スペースをより広く確保することができる。これにより、エアーフイルタ１８の着脱の際に前記フロントパネル４が邪魔になるのを軽減して、着脱の作業スペースを確保することができる。
【００３４】
図５に戻り、この実施の形態では、フロントパネル４を閉じた状態で前記化粧カバーに固定するために、フロントパネル４の自由端部の両側に金具４２を設け、化粧カバー３には前記金具４２を固定するための磁石４３を設けている。そして、前記磁石４３の中間の位置となる化粧カバー３にはフエルトやゴム材料などで形成される振動吸収部材４４を設けている。これにより、前記フロントパネル４の中央部分を振動なく保持して両側で確り保持することができる。しかも、フロントパネル４を取り外す時は、図１３の（ａ）図に示すように、前記両側の側板２７に形成した手掛凹部２８を介してフロントパネル４の両側を保持して、（ｂ）図に示すように、前方に引っ張ることにより、前記磁石４３と金具４２の結合を外すことができる。この際、手で保持する部分は、前記磁石４３の近傍となるので引っ張る力を最小限にすることができる。また、前記振動吸収部材４４は、磁石などを使わず振動を吸収する目的だけとしているので、開放する際に中央部分が引っかかるなどの不都合を軽減しながら振動を防止するとともに、フロントパネル４を確り固定することができる。
【００３５】
図６において、この実施の形態では、前記第２開閉機構部１３を、化粧カバー３にネジなどを介して取り付けられる化粧カバー固定部４５と、逆Ｕ字状の側面形状を備えた一対のアームを有するアーム部４６と、回転中間部材４７と、フロントパネル４にネジなどを介して取付けられるフロントパネル固定部４８とから構成する。前記化粧カバー固定部４５と前記アーム部４６は一対の第１回転軸４９で連結され、前記アーム部４６と回転中間部材４７とは第２回転軸５０と第３回転軸５１で連結され、前記回転中間部材４７とフロントパネル固定部４８とは着脱機構部５２で連結される。
【００３６】
この実施の形態では、前記第１回転軸部４９と第３回転軸部５１とを、摩擦係合を利用して、回動された際に任意の位置までスローダウンして静止できるトルクヒンジ機構を採用している。このトルクヒンジ機構は、例えば、回転軸の軸周囲を樹脂材料で覆い、これを軸受部で締め付けながら支持することにより、この樹脂材料と回転軸または軸受部との間に摩擦を発生させ、この摩擦とこのトルクヒンジ機構に係る負荷応力とのバランスをとることにより、回動された際に任意の位置までスローダウンして静止させることができる。これらのバランスは前記軸受部の締め付けで調整するようにする。
【００３７】
この実施の形態では、例えば、前記アーム部４６に一対のアームを樹脂材料で覆われた回転軸で連結し、回転軸を前記化粧カバー固定部４５の軸受部で締め付けて支持するようにしている。
【００３８】
一方、前記第２回転軸部５０は、（ｃ）図に示すフロントパネル４を閉めた状態から、（ｂ）図に示すフロントパネル４を所定角度開いた状態まで、前記フロントパネル４を負荷なく開閉できるようにするヒンジ機構を備えている。この実施の形態では、前記ヒンジ機構を実現するために、第２回転軸部５0は、回転軸５６の一端を前記アーム部４６の一端に軸受部５７を介して連結し、その一端の端部に回転コマ５８を取付ける。前記回転コマ５８には、突起部６０が形成され、前記軸受部５７の回転コマ５８側には、前記回転コマ５８の突起部６０の回転を制限する凹状の回転コマ受部５９が形成される。一方、前記回転軸５６の他端は、前記第１回転軸部４９と同様に、その回転軸周囲を樹脂材料５３で覆い、これを回転中間部材４７の軸受部６１で締め付けて回転可能に取付ける。
【００３９】
この第２回転軸部５０によれば、図６の（ｃ）図に示す状態から、図１３の（ａ）図に示すようにフロントパネル４の両側を保持して手前に引っ張ることにより、前記磁石４３と金具４２の連結が外れ、この状態から図６の（ｂ）図に示すように、前記突起部６０が前記回転コマ受部５９によって、その回転を制限される回転角度Θ１の範囲（（ｃ）図から（ｄ）図までの範囲まで）は特に負荷を受けることなくフロントパネル４を開閉することができる。そして、この状態から更に下方にフロントパネル４を開放しようとすると前記第１回転軸部４９及び第３回転軸部５１のトルクヒンジ機構により前記摩擦の負荷を受けながら回転させることができる。これにより、フロントパネル４を、最初は簡単に回動させ、それ以降はフロントパネル４の自由端の急激な動きを抑制することができる。
【００４０】
また、前記着脱機構部５２は、前記フロントパネル固定部４８にスライド可能に収納されるスライドピン６２と、前記回転中間部材４７に設けられる係合部６３とから構成される。この実施の形態によれば、前記スライドピン６２の一端を前記係合部６３に挿入して係合させる、即ち、両側に設けた前記第２開閉機構部１３のそれぞれの前記着脱機構部５２のスライドピン６２が両側に張出すようにして、前記係合部６３に嵌合することにより、フロントパネル４が前記回転中間部材４７に固定される。そして、このフロントパネル４を取り外す場合は、前記スライドピン６２に取付けたレバー６４を内側（矢印方向）に移動させることにより、常にスライドピン６２を係合するように作用するばね６５を圧縮させて、図１３の（ｃ）図に示すように前記係合を外し、流しなどで洗うことができる。なお、装着する場合は、前記操作の逆を行えばよい。
【００４１】
更に、図４及び図６の（ｃ）図、（ｄ）図に示すように、この実施の形態では、前記アーム部４６のアームをＵ字状の側面形状とすることにより、化粧カバー３と前記フロントパネル４の両連結部近傍の回転時における逃げのふところをひろくして、このフロントパネル４の広い開閉動作範囲を実現している。また、このアームをＵ字形状としたことにより、このアームにかかる応力の緩和や均一な厚みを求められる樹脂材料を採用できるなどの効果も期待できる。更に、この実施の形態では、前記フロントパネル固定部４８の取付面の両側に前記アームを収納するための収納部６６を設けている。そして、この実施の形態では、前記アームの大きさを、化粧カバー３に形成する収納部６６の大きさで規定している。
【００４２】
次に、第１開閉機構部１２について説明する。この実施の形態では、この第１開閉機構部１２も前記第２開閉機構部１３と同様にトルクヒンジ機構を採用している。この第１開閉機構部１２の具体的な構造は、前記バックキャビネット２に取付けられるキャビネットヒンジ部材６７と、吹出カバー５に取付けられるカバーヒンジ部材６８とから構成される。前記キャビネットヒンジ部材６７とカバーヒンジ部材６８は回転軸によって回転自在に連結される。また、前記カバーヒンジ部材６８は、吹出カバー５に設けられるねじ取付部６９にねじ７０を介して取付けられ、前記キャビネットヒンジ部材６７は、前記バックキャビネット２に形成されたねじ取付部７１にねじ７０を介して取付けられる。図７の拡大された円形部分に示すように、前記キャビネットヒンジ部材６７とカバーヒンジ部材６８は回転軸部分は、吹出カバー５の端部に形成した回転軸押部７２によって、この第１開閉機構部１２の回転動作が抑制される。即ち、前記キャビネットヒンジ部材６７は、前記カバーヒンジ部材６８によって支持された回転軸と前記回転軸押部７２に挟まれて支持される。このため、前記キャビネットヒンジ部材６７が前記回転軸を中心に回転しようとすると、前記回転軸押部７２の樹脂の弾性力によって、前記キャビネットヒンジ部材６７の回転軸周りと前記回転軸押部７２との間に摩擦が発生して、前記キャビネットヒンジ部材６７の回転が抑制される。このため、前記吹出カバー５が急激に開放するのを軽減することができる。
【００４３】
なお、前記第１開閉機構部１２に係る負荷と回転を抑制する力のバランスは前記ねじ７０の締め付け具合で調整する。また、第２開閉機構部１３と同様に、回転軸周りを樹脂材料で覆い、これを軸受部で絞めつける構造としてもよい。
【００４４】
次に図８を参照して、前記ベース部１５の周辺構造を更に詳細に説明する。図８はベース部１５周辺部の部分断面図である。図８において、この実施の形態では、室内ユニット１の前面部分を前記フロントパネル４と、吹出カバー５で構成し、唯一、化粧カバー部分が露出する部分として前記ベース部１５が設けられている。このベース部１５には、複数のＬＥＤランプからなる運転状態表示部２３が内側からねじなどを介して取付けられている。前記ベース部１５の上部は断面が円弧状の案内部１７が形成され、このベース部１５（化粧パネル２５）にあたった室内空気が上方に案内されるようになっている。そして、その前面には透明な化粧パネル２５が取付けられている。
【００４５】
また、前記ベース部１５の上部は水平面が形成され、この水平面に前記エアーフイルタ１８の一端が係合されるフイルタ係合穴７３が形成される。この実施の形態によれば、前記ベース部１５の上部が案内部１７により切り欠かれているので、前記フイルタ係合穴７３が形成される水平面の奥行きが小さいため、エアーフイルタ１８の着脱が容易である。
【００４６】
このように、この実施の形態では、フロントパネル４と吹出カバー５を下方または後方に設けた回転軸を中心に、その上方または前方を開放させることができるので、前方に位置する使用者に筐体６の内部を露出させることができるので、清掃性やエアーフイルタ１８の着脱を容易にすることができる。また、このフロントパネル４と吹出カバー５の開放にあたっては、トルクヒンジ機構を採用することにより急激に開放されるのを軽減できる。特に、フロントパネル４は開放時に楽に開閉でき、以後は力のバランスを取って開閉できる２段階機構としているので作業性や安全性を向上することができる。
【００４７】
更に、この実施の形態では、前記図１３に示すように、フロントパネル４が着脱可能のため、このフロントパネル４を取り外して清掃作業が容易な姿勢で清掃したり、あるいは、流しなどで洗浄することができる。更に、図１４の（ａ）（ｂ）（ｄ）に示すように、フロントパネル４や吹出カバー５を開いて、筐体６前面部を大きく開放することができるので、雑巾などで直接清掃したり、あるいは掃除機での清掃が容易である。加えて、図１４の（ｃ）（ｅ）に示すように、エアーフイルタ１８の着脱や吸込グリル２４の着脱が容易となる。
【００４８】
次に、図９から図１２を参照して、フロントパネル４の開閉操作にともなう他の実施の形態を説明する。
【００４９】
先ず、図９を参照して、第２の実施の形態を説明する。図９は第２の実施の形態に係る開閉動作説明図であり、（ａ）がフロントパネル４を閉めた状態の断面図、（ｂ）図は遠隔操作機２０の外観図、（ｃ）図がフロントパネル４を一部開いた状態の断面図である。
【００５０】
図９において、この第２の実施の形態は、フロントパネル４の初期の開放動作を遠隔操作機２０からの制御信号に基づいて動作させる実施の形態である。この実施の形態では、前記動作を実現するために、前記第１の実施の形態で説明した磁石４３の近傍に前記遠隔操作機２０からの操作信号に基づいて駆動するソレノイド１０１を設けるようにする。このソレノイド１０１は電源が通電されると突出するプランジャー１０２を備えている。この実施の形態によれば、前記遠隔操作機２０からの所定の操作を行うことにより、この信号が図示しない前記受光部２１で受けられ、前記電気品部９に設けた処理装置が前記ソレノイド１０１に動作信号を送る。このソレノイド１０１は、前記信号により、前記プランジャー１０２を前方に突出させる。これにより、前記磁石４３と金具４２の結合が外れる。
【００５１】
ここで前記第２開閉機構部１３は初期の開放動作では抵抗なく所定の範囲開閉動作するので、この動作により、フロントパネル４は（ａ）図の閉めた状態から（ｃ）図の一部開放した状態まで開放する。この（ｃ）図の状態以降は、前記第２開閉機構部１３は前記トルクヒンジ機構によりスローダウンして図４に示す状態まで開放する。
【００５２】
この実施の形態では、遠隔操作機２０により、フロントパネル４を開放することができるので、フロントパネル４の両側を保持して開放する動作を行う必要がない。特に、室内ユニット１が高い位置に設置された状態での高所作業をなくすことができる。
【００５３】
次に、図１０から図１２は、前記フロントパネル４の開放を機械的な開閉機構部１１０を介して可能にする実施の形態を示している。図１０から図１２は、前記開閉機構部１１０の原理図を示したものである。この図１０から図１２の実施の形態によれば、室内ユニット１の下方部分にフロントパネル４を開放する操作手段を設けることで、開放動作を低い位置で可能とすることができる。
【００５４】
先ず、図１０と図１１を参照してフロントパネル４に前記開閉機構部１１０を備えた実施の形態を説明する。図１０は開閉機構部１１０の動作原理図であり、（ａ）図が固定状態を示す原理図、（ｂ）図が開放動作を示す原理図、（ｃ）図がフロントパネル４の装着状態を示す原理図である。図１１は、（ａ）図がフロントパネル４の装着状態を示す原理図であり、（ｂ）図が開放動作を示す原理図である。
【００５５】
図１０において、この第３の実施の形態は、（ｃ）図に示すように、フロントパネル４の裏面（内側）に開閉機構部１１０を備えた実施の形態である。前記開閉機構部１１０は、下部アーム１１１と、上部アーム１１２と、この下部アーム１１１の一端と上部アーム１１２の一端をそれぞれ回転軸１１４、１１５で連結する連結アーム１１３とから構成される。前記下部アーム１１１は、その中央部分をフロントパネル４の下部に設けた回転軸１１６に回転可能に取付けられ、他の一端にフロントパネル４の外側に露出するレバー１１７が取付けられている。一方、前記上部アーム１１２は、その中央部分をフロントパネル４の上部に設けた回転軸１１８に回転可能に取付けられ、他の一端に筐体６に設けた結合部１１９と係合する突起１２０が設けられる。更に、連結アーム１１３は図示しない取付部に取付けられたばね１２１により常に下方側に応力が働くようになっている。
【００５６】
この実施の形態によれば、（ｃ）図に示すように、フロントパネル４を筐体６側に押し付けることにより、前上部アーム１１２の先端に設けた前記突起部１２０が前記結合部１１９に当たって、その応力により下方に押し下げられて更に後方に移動し、その後、上方に持ち上げられて、前記結合部１１９と連結状態をとることができる。（ｃ）図においては、前記結合部１１９が上方に逃げる動作を行うように図示しているが、このように可動する連結部１１９でもよいし、固定してもよい。即ち、前記突起部１２０が前記結合部１１９に当たった際に、この突起部１２０を下方に逃がすように作用すればよい。なお、連結部１１９を可動する機構とすることにより、後で説明するレバー１１７の動きを小さくすることができる。また、前記突起部１２０と前記結合部１１９の係合は、（ａ）図に示すように、ばね１２１により保持される。
【００５７】
さて、フロントパネル４を開放する際は、（ｂ）図に示すように、前記レバー１１７を下方に下げる動作を行うことにより、その力は、下部アーム１１１と連結アーム１１３から上部アーム１１２に伝達されて、前記突起部１２０を下方に押し下げる。これにより、前記突起部１２０と前記結合部１１９の係合が外れるのでフロントパネル４を開放することができる。
【００５８】
次に、図１１に示す第４の実施の形態に係る開閉機構部１１０は、フロントパネル４の裏面（内側）に棒状の開放レバー１３０を設けたものである。この開放レバ１３０はフロントパネル４に上下方向にスライド可能に取付けられ、ばね１３１を介して、常に上方に突出しようとする応力が与えられている。そして、この開放レバ１３０の上端にはローラ１３２が取付けられ、下端にはレバー１３３が設けられる。一方、化粧カバー３には、前記ローラ１３２を下方に案内する傾斜面１３４が形成され、その後方に連結穴１３５が設けられている。
【００５９】
この実施の形態によれば、（ｂ）図に示すように、フロントパネル４を筐体６側に押し付けることにより、前記ローラ１３２が前記傾斜面１３４により下方に押し下げられて、更に後方に移動することにより、前記ばね１３１の力により、前記ローラ１３２が前記連結穴１３５に勘合して、フロントパネル４を固定することができる。一方、（ａ）図に示すように、フロントパネル４を開放する際は、前記レバー１３３を下方に引き下げることにより、ローラ１３２を下方に下げて、前記ローラ１３２と前記連結穴１３５の勘合を外してフロントパネル４を開放することができる。
【００６０】
このように、フロントパネル４の裏面に開閉機構部１１０を取付けることにより、この開閉機構部１１０を簡単な構造とすることができるとともに、通風路を邪魔することがない。
【００６１】
次に、図１２は前記解放機構部１１０を筐体６に設けた第５の実施の形態を示している。この実施の形態では、化粧カバー３の内壁面に棒状の開放レバー１４０を設けたものである。この開放レバ１４０は、その中央部分を化粧カバー３に設けた回転軸１４１に回転可能に取付けられ、上端部に化粧カバー３から前方に突出可能な突起部１４２が設けられ、下端部に前記フロントパネル４の下方部に形成される開口部から露出するプッシュ部１４３が設けられている。この開放レバー１４０は、ばね１４４により常に前記突起部１４２が引き込まれ、前記プッシュ部１４３が突出するようになっている。また、前記開放レバー１４０の上端部は平歯車機構により、前記回転軸１４１を中心に回転可能となるように化粧カバー４に支持される。これにより、フロントパネル４を押す衝撃に対抗することができる。
【００６２】
さて、この実施の形態に係る解放機構部１１０によれば、（ｂ）図に示すように、前記磁石４３と金具４２でフロントパネル４が筐体６に保持される。この状態から、（ａ）図に示すプッシュ部１４３を押す動作により、対向する位置に設けられる前記突起部１４２が前方に突出する。これにともなって、（ｃ）図に示すように、前記磁石４３と金具４２の結合を外すことができる。ここで、この実施の形態の磁石４３は回転機構を備えているので、フロントパネル４の開閉動作に追随して前記金具４２との連結や開放動作を良好にすることができる。なお、（ｃ）図に示した以降の更なるフロントパネル４の開放動作は前記他の実施の形態と同様につき省略する。
【００６３】
この実施の形態によれば前記解放機構部１１０を筐体６内に設けたので、フロントパネル４に機構部分を設ける必要がないから、フロントパネル４の軽量化や清掃性を向上することができる。
【００６４】
【発明の効果】
本発明によれば、清掃性を向上しつつ表示部の視認性と吸い込み効率の向上が図れる空気調和機を提供することができる。
【図面の簡単な説明】
【図１】第1の実施の形態に係る空気調和機の外観図である。
【図２】第1の実施の形態に係る空気調和機の外観図である。
【図３】第1の実施の形態に係る内室内ユニットの内部構造と通風経路を示す断面図である。
【図４】第1の実施の形態に係る室内ユニットのフロントパネルと吹出カバーを開放した状態の断面図である。
【図５】第1の実施の形態に係る室内ユニットのフロントパネルを開放した状態の正面図である。
【図６】第1の実施の形態に係る室内ユニットの第２開閉機構部の説明図である。
【図７】第1の実施の形態に係る室内ユニットの第１開閉機構部の断面図である。
【図８】第１の実施の形態に係る室内ユニットのベース部周辺機構の説明図である。
【図９】第２の実施の形態に係る室内ユニットの開閉動作説明図である。
【図１０】第３の実施の形態に係る室内ユニットの前記開閉機構部の原理図である。
【図１１】第４の実施の形態に係る室内ユニットの前記開閉機構部の原理図である。
【図１２】第５の実施の形態に係る室内ユニットの前記開閉機構部の原理図である。
【図１３】第1の実施の形態に係る室内ユニットの使用状態図である。
【図１４】第1の実施の形態に係る室内ユニットの使用状態図である。
【符号の説明】
１…室内ユニット、２…バックキャビネット、３…化粧カバー、４…フロントパネル、５…吹出カバー、６…筐体、７…熱交換器、７ａ…第1熱交換器、７ｂ…第２熱交換器、７ｃ…第３熱交換器、８…送風フアン、９…電気品部、１０…第１吸込部、１１…吹出部、１２…第１開閉機構部、１３…第２開閉機構部、１４…切欠部、１５…ベース部、１６…第２吸込部、１７…案内部、１８…エアーフイルタ、１９…空気清浄フイルタ、２０…遠隔操作機、２１…受光部、２２…張出部、２３…運転状態表示部、２４…吸込グリル、２５…化粧パネル、２６…横ルーバ、２７…側板、２８…手掛凹部、２９…第１接続部、３０…第２接続部、３１…後部ドレン皿、３２…前部ドレン皿、３３…上部通風路、３４…下部通風路、３５…空気通風路、３６…取付リブ、３７…縦ルーバ、４１…補強リブ、４２…金具、４３…磁石、４４…振動吸収部材、４５…化粧カバー固定部、４６…アーム部、４７…回転中間部材、４８…フロントパネル固定部、４９…第１回転軸部、５０…第２回転軸部、５１…第３回転軸部、５２…着脱機構部、５３…樹脂材料、５４…回転軸、５５…軸受部、５６…回転軸、５７…軸受部、５８…回転コマ、５９…回転コマ受部、６０…突起部、６１…軸受部、６２…スライドピン、６３…係合部、６４…レバー、６５…ばね、６６…収納部、６７…キャビネットヒンジ部材、６８…カバーヒンジ部材、６９…ねじ取付部、７０…ねじ、７１…ねじ取付部、７２…回転軸押部、７３…フイルタ係合穴、７４…手掛部、１０１…ソレノイド、１０２…プランジャー、１１０…開閉機構部。
【図１】
0004020681.tif 000002
【図２】
0004020681.tif 000003
【図３】
0004020681.tif 000004
【図４】
0004020681.tif 000005
【図５】
0004020681.tif 000006
【図６】
0004020681.tif 000007
【図７】
0004020681.tif 000008
【図８】
0004020681.tif 000009
【図９】
0004020681.tif 000010
【図１０】
0004020681.tif 000011
【図１１】
0004020681.tif 000012
【図１２】
0004020681.tif 000013
【図１３】
0004020681.tif 000014
【図１４】
0004020681.tif 000015